(57)【要約】      （修正有）【課題】峰パイプの直上位置に所定間隔を隔てた状態でシート定着部材を連結・固定することができる新規な構造のジョイント金具を提供する。【解決手段】鋼板の長さ方向一端をシート定着部材３の上面形状に合わせて折り曲げて上端係止部１５とすると共に、他端を峰パイプ２の形状に合わせて円弧状に屈曲して下端係止部１６とし、上端係止部と下端係止部との間において、その幅方向両端から同方向に折り曲げられた一対の中央突片１７を備えた構成の一対の取付部材１１ａ，１１ｂと、これら係止部および中央突片が内向きとなるようにして取付部材同士を締着する締着手段１２とを有してジョイント金具１０が構成される。中央突片と下端係止部との間にシート定着部材３を収容し、中央突片と上端係止部との間に峰パイプを収容してこれらを連結すると、中央突片がスペーサとして働き、自動的に隙間が形成される。【選択図】図２
0003130196.tif 000002
【実用新案登録請求の範囲】
【請求項１】
パイプハウスの峰パイプ上にシート定着部材を固定するためのジョイント金具であって、一対の取付部材と、これら一対の取付部材同士を締着する締着手段とからなり、各取付部材は、締着手段で取付部材同士を締着した締着状態において峰パイプを係止する第一の係止部を一端に備えると共に、該締着状態においてシート定着部材を係止する第二の係止部を他端に備え、且つ、該締着状態において第一の係止部に係止される峰パイプと第二の係止部に係止されるシート定着部材との間に所定の間隔を保持するためのスペーサ部が第一および第二の係止部の間に設けられることを特徴とするパイプハウス用峰部ジョイント金具。
【請求項２】
各取付部材が略板状であってその長さ方向中央部の両側から締着状態において内向きに折り曲げられた一対の中央突起部を備えると共に、その長さ方向両端が峰パイプおよびシート定着部材の形状に応じて締着状態において内向きに屈曲または折曲されており、一対の中央突起部が前記スペーサ部となり、一対の中央突起部と長さ方向両端の屈曲部または折曲部との間が前記第一および第二の係止部となることを特徴とする、請求項１記載のパイプハウス用峰部ジョイント金具。
【考案の詳細な説明】
【技術分野】
【０００１】
本考案は、農業（園芸を含む）用などのパイプハウスに使用するジョイント金具に関し、より詳しくは、パイプハウスの峰パイプとシート定着部材とを所定の間隔を隔てた位置関係で連結するために使用するパイプハウス用峰部ジョイント金具に関する。
【背景技術】
【０００２】
パイプハウスは、両側から対向させた一対のアーチパイプの一端を地面に固定すると共に他端を峰部で連結し、このアーチパイプを５０〜７５ｃｍ置きに奥行方向に並べ、これらアーチパイプの峰部を峰パイプにて連結してパイプフレームを形成し、このパイプフレームにシートを被せて固定することによって構成される。
【０００３】
シート固定の一手法が特許文献１に記載されている。すなわち、パイプハウスの側面や天井部にシートＳを展張した後、奥行方向に延長するパイプＰに長尺レール状のシート定着部材Ｆをネジ５により固着し、このシート定着部材のレール凹部形状に沿って折り畳んだ状態でバンドＢを挿入し、その上からばね線材で押さえつけてバンドＢを定着して、ソートＳの暴れを防止している。
【特許文献１】特開２００４−１６１５４号公報（図６）
【考案の開示】
【考案が解決しようとする課題】
【０００４】
ところで、実際のパイプハウスにおいては、シートの補修や交換、あるいはパイプハウス内で育成する農作物を太陽光に当てるなどの必要性に対応するため、シートを巻き上げる機構が付設されている。このシート巻き上げ機構は、パイプハウスの天井部や柱部の上方に奥行き方向に延長するシート巻き取りシャフトを配置させ、このシート巻き取りシャフトをハンドルで回転させることによりシートを巻き取るようにしている。
【０００５】
特許文献１記載の従来技術によれば、シートＳとバンドＢとの間にパイプＰが介在するため、シート巻き取りシャフト６が通る隙間が形成される。しかしながら、峰部においては、左右一対のアーチパイプを峰部で連結する外ジョイントが峰パイプの上に配置されることになるため、峰パイプの上にシート押さえを直接ネジなどで固定することができない。特許文献１には、峰部におけるシートＳおよびバンドＢの固定手法については何ら開示されていない。
【０００６】
峰部においては、従来から、アーチパイプを連結する外ジョイントの直上に直接峰パイプを固定し、その上にシートを被せた後、マイカー線を掛け渡し、パッカーと呼ばれるプラスチック製や金属製などの固定部材を用いてシートを峰パイプに固定する手法が採用されているが、これによるとアーチパイプの固定が不完全となり、また、シートが風でばたついて峰パイプのパッカーが外れてしまうことがある。
【０００７】
また、峰パイプの上に外ジョイントを配置した後、その上に長尺レール状のシート定着部材を固定し、このシート定着部材のレール凹部形状に沿って折り畳んだ状態でシートを挿入し、その上からばね線材で押さえつけて該シートを固定して展張し、さらにその上にマイカー線を掛け渡して該シートを押さえつけて固定することも行われている。この場合シート定着部材を峰パイプの直上位置で固定することは困難であるので、左右いずれかにずらした位置でシート定着部材を固定しているが、シート定着部材が固定される側ではその厚み分に応じた隙間がアーチパイプとマイカー線との間に形成されるので、この隙間にシート巻き上げシャフトを通してスムーズにシートを巻き取ることができるが、反対側ではシートがマイカー線に押さえつけられた状態でアーチパイプに密着してしまうので、シート巻き取りシャフトをアーチパイプとシートの間に配置してシートを巻き上げようとしても、マイカー線の負荷でスムーズに動きにくくなる。
【０００８】
したがって、本考案の課題は、峰パイプの直上位置に所定間隔を隔てた状態でシート定着部材を連結・固定することができる新規な構造のジョイント金具を提供することにある。
【課題を解決するための手段】
【０００９】
上記課題を解決するための手段として、請求項１に係る本考案は、パイプハウスの峰パイプ上にシート定着部材を固定するためのジョイント金具であって、一対の取付部材と、これら一対の取付部材同士を締着する締着手段とからなり、各取付部材は、締着手段で取付部材同士を締着した締着状態において峰パイプを係止する第一の係止部を一端に備えると共に、該締着状態においてシート定着部材を係止する第二の係止部を他端に備え、且つ、該締着状態において第一の係止部に係止される峰パイプと第二の係止部に係止されるシート定着部材との間に所定の間隔を保持するためのスペーサ部が第一および第二の係止部の間に設けられることを特徴とする。
【００１０】
請求項２に係る本考案は、請求項１記載のパイプハウス用峰部ジョイント金具において、各取付部材が略板状であってその長さ方向中央部の両側から締着状態において内向きに突出する一対の中央突起部を備えると共に、その長さ方向両端が峰パイプおよびシート定着部材の形状に応じて締着状態において内向きに屈曲または折曲されており、一対の中央突起部が前記スペーサ部となり、一対の中央突起部と長さ方向両端の屈曲部または折曲部との間が前記第一および第二の係止部となることを特徴とする。
【考案の効果】
【００１１】
本考案のジョイント金具を使用して、パイプハウスの峰部において峰パイプとシート定着部材とを連結固定することにより、同時にそれらの間にシート巻き取りシャフトを通す隙間が自動的に形成される。また、シート定着部材が峰パイプの直上に取り付けられるので、左右両側においてマイカー線の巻き取りシャフトに対する負荷が小さくなり、シート巻き取り作業をスムーズに行うことができる。
【考案を実施するための最良の形態】
【００１２】
図１は、本考案の一実施形態によるパイプハウス用峰部ジョイント金具１０を使用して構築したパイプハウス１を示す。パイプハウス１は、左右一対のアーチパイプ４ａ，４ｂを外ジョイント５にて峰部で連結してアーチフレームを形成し、このアーチフレームを所定間隔で奥行方向に配置し、これらを水平パイプ（図示せず）で連結することにより骨組を形成している。外ジョイント５は、奥行方向に延長する峰パイプ２およびシート定着部材３との間に交差状態で配置される。
【００１３】
シートは図１において図示省略されているが、シートは巻き取りパッカー７によりシート巻き取りシャフト６に固定され、シート巻き取りシャフト７を回転させることによりシートを巻き取ることができるようになっている。符号８はシートを押さえつけるために掛け渡されるマイカー線である。  
図２は、このパイプハウス１の峰部構造図である。ジョイント金具１０は、一対の取付部材１１ａ，１１ｂと、これら取付部材を締着する締着手段１２とからなる。
【００１４】
締着手段１２は、一方の取付部材１１ａの外側に位置する頭部１３ａと、取付部材１１ａ，１１ｂを貫通して他方の取付部材１１ｂの外側に突出する長さを有する軸部１３ｂと、この軸部１３ｂの少なくとも先端に形成された雄ネジ部１３ｃとを備えた取付ネジ１３と、この取付ネジ１３の雄ネジ部１３ｃと取付部材１１ｂの外側で螺合するナット１４とから構成されている。
【００１５】
取付部材１１ａ，１１ｂは略同一の形状および構成を有する。これらは鋼板の長さ方向一端をシート定着部材３の上面形状に合わせて折り曲げて上端係止部１５とすると共に、他端を峰パイプ２の形状に合わせて円弧状に屈曲して下端係止部１６としている。また、これら上端係止部１５と下端係止部１６との間において、その幅方向両端から同方向に折り曲げられた一対の中央突片１７を備えている。
【００１６】
このジョイント金具１０を使用するに際しては、これら上端係止部１５、下端係止部１６および一対の中央突片１７がいずれも互いに近付く方向、言い換えれば内向きとなるように取付部材１１ａ，１１ｂを対向させた状態にして、下端係止部１６と中央突片１７との間に峰パイプ２を収容させると共に、上端係止部１５と中央突片１７との間にシート定着部材３を収容させて、締着手段１２で締め付けることにより、峰パイプ２とシート定着部材３とを連結する。これにより、峰パイプ２とシート定着部材３の間には、中央突片１７の長さに応じた隙間が与えられる。この隙間は外ジョイント５を通過させるに十分な大きさを有し、中央突片１７の長さを変えることにより調整可能である。
【００１７】
シートＳはシート定着部材３の凹部にその形状に沿って折りたたまれた状態で収容され、その上からバネ線材９で押さえつけられて固定される。さらに、図２では図示省略されているが、図１に示すように、両側に架け渡されるマイカー線８で押さえつけられて、風を受けてもシートＳが暴れないようにしている。
【００１８】
図示実施形態では峰パイプ２が丸パイプであるので、これを係止するための下端係止部１６が円弧状に形成され、一対の中央突片１７の下端内側も円弧状に面取り１８されているが、峰パイプが角パイプである場合は、ジョイント金具１０の鋼板下端を略９０°に内向きに折り曲げて下端係止部１６とし、一対の中央突片１７の下端に面取りを施す必要なしに、角パイプである峰パイプを係止することができる。
【図面の簡単な説明】
【００１９】
【図１】本考案の一実施形態によるパイプハウス用峰部ジョイント金具を使用して構築したパイプハウスを示す部分斜視図である。
【図２】このパイプハウスの峰部構造図である。
【符号の説明】
【００２０】
１  パイプハウス
２  峰パイプ
３  シート定着部材
４ａ，４ｂ  アーチパイプ
５  外ジョイント
６  シート巻き取りシャフト
７  巻き取りパッカー
８  マイカー線
９  バネ線材
１０  峰部ジョイント金具
１１ａ，１１ｂ  取付部材
１２  締着手段
１３  取付ネジ
１４  ナット
１５  上端係止部（第一の係止部）
１６  下端係止部（第二の係止部）
１７  中央突片（スペーサ部）
１８  円弧状面取り
Ｓ  シート
【図１】
0003130196.tif 000003
【図２】
0003130196.tif 000004